(57)【要約】【課題】  竿体とリールシート本体との径差が生じる釣竿であっても、容易にリールシートを竿体に装着することができ、且つ、軽量化・作業性・コスト性にも優れる釣竿を提供する。  【解決手段】  この釣竿は、元竿１と、元竿１の周面に軸長方向に間隔を隔てて外嵌された複数の円筒型の芯材からなる芯材群３と、芯材群３に外嵌されたリールシート４とを備える。芯材群３を形成する個々の芯材は内径・外径共に軸長方向において径の変化しない円筒型の部材である。【選択図】  図１
2005117931.tif 000002
【特許請求の範囲】
【請求項１】
魚釣りに用いる釣竿であって、
竿体と、
前記竿体の周面に軸長方向に間隔を隔てて外嵌された複数の円筒型の芯材からなる芯材群と、
前記芯材群に外嵌されたリールシートと、
を備えた釣竿。
【請求項２】
前記竿体は先細りテーパの施された管状体であり、
前記芯材群を形成する芯材は軸長方向に外径及び内径の変化しない円筒部材であり、前記竿体の周面に接着剤で固定されている、請求項１に記載の釣竿。
【請求項３】
前記芯材群はそれぞれ異なる内径を有する芯材の集合体である、請求項２に記載の釣竿。
【請求項４】
前記芯材群は同じ一定の内径を有する芯材の集合体である、請求項２に記載の釣竿。
【発明の詳細な説明】
【技術分野】
【０００１】
本発明は釣竿、特に、手元側の竿体の周面にリールを脱着自在に装着するためのリールシートが装着されている釣竿に関する。
【背景技術】
【０００２】
釣竿の手元側に位置する竿体の周面には、スピニングリール，両軸受けリール等の釣用リールを取り付けるためのリールシートが設けられている。例えば、従来のリールシートでナット式と呼ばれるリールシートは、釣用リールの脚部の一端を係止する固定フードと雄ネジ部とを有する本体部と、移動シート部と、ナット部とを有している。この移動シート部はリールの脚部の他端を係止する移動フード部を有し、シート本体に対して相対移動可能である。ナット部は雄ネジ部に螺合して移動シート部を移動させる。
【０００３】
このようなリールシートでは、リールの脚部の一端を本体部の固定フードに係止した状態でナット部を回転させて、移動シート部を固定フードに接近させて、移動シート部の移動フードでリールの脚部の他端を係止する。このように固定フード及び移動フードでリールの脚部を挟持してリールを釣竿に固定する。
【０００４】
ところで、このようなリールシートを竿体の周面に設ける際に、竿体の外径が小径である場合、竿体の外径とリールシートの本体部の内径との径差を埋める必要が生じる。このような径差の解消のために、竿体とリールシートの本体部との間にテープを巻回することが行われてきた（特許文献１参照）。しかし、竿体のリールシート部分は、そこに取り付けたリールから大きな力が加わる部分である。このようなテープの巻回では十分な強度が担保できない。
【０００５】
そこで、リールシート本体の軸方向長さに合わせ且つ外径・内径を調整した円柱型の芯材を合成樹脂などから形成し、これを竿体とリールシートとの間に介在させる手法も採用されてきた。しかし、このような円柱型の部材を配置すると、竿体のリールシート部分の重量化が生じる。
【０００６】
そこでさらに、図４に示すように、円柱型の部材に溝を形成して軽量化を図ることも考えられる。しかし、このような溝の加工は煩雑でありコスト高である。さらに、溝を形成していない円柱型の部材においても同様であるが、この種の芯材では竿体をこの芯材の軸長方向に貫通させるべく貫通孔を形成する必要がある。このような小径で長い貫通孔を形成するのは煩雑である。加えて、竿体は一般に先細りテーパの施された棒状の部材であるので、貫通孔にもテーパを施す必要が生じる。このような小径で長い貫通孔にさらにテーパを設けるのは極めて煩雑である。
【特許文献１】特開平１０−３２７７１５号公報
【発明の開示】
【発明が解決しようとする課題】
【０００７】
本発明は、上記問題点に鑑み、竿体とリールシート本体との径差が生じる釣竿であっても、容易にリールシートを竿体に装着することができ、且つ、軽量化・作業性・コスト性にも優れる釣竿を提供するものである。
【課題を解決するための手段】
【０００８】
本発明の釣竿は、魚釣りに用いる釣竿であって、竿体と、竿体の周面に軸長方向に間隔を隔てて外嵌された複数の円筒型の芯材からなる芯材群と、芯材群に外嵌されたリールシートとを備えている。
【０００９】
この釣竿では、リールシート本体に対して軸長方向の短い円筒型の芯材を複数準備し、これを竿体周面に軸長方向に間隔を隔てて配置して芯材群を形成している。このような構造とすることで、従前の芯材に比較して軽量化が進む。また、短い円筒型の芯材とすることで、個々の芯材に形成する竿体用の貫通孔の軸長方向長さも短くなり、その加工が容易となる。
【００１０】
また、釣竿を構成する竿体は先細りテーパの施された管状体であり、芯材群を形成する芯材は軸長方向に外径及び内径の変化しない円筒部材であり、竿体の周面に接着剤で固定されているものとしてもよい。
【００１１】
一般に、竿体は先細りテーパの施された管状体であるから、その外周面に外嵌させる円筒型の芯材の内径もそのテーパにあわせる必要が生じる。この釣竿では、芯材の軸長方向を短く設定し、その誤差の範囲で竿体のテーパを吸収する。その結果、個々の円筒型の芯材にテーパ調整を施す必要が無くなり、作業性も向上する。
【００１２】
さらに、芯材群はそれぞれ異なる内径を有する芯材の集合体としてもよい。このような内径の異なる芯材を組み合わせて利用することで、竿体のテーパを吸収し易くなる。もっとも、芯材群は同じ一定の内径を有する芯材の集合体としてもよい。軸長方向を短くすることで、竿体のテーパは接着剤等でも十分に吸収できる。
【発明の効果】
【００１３】
本発明によれば、竿体とリールシート本体との径差が生じる釣竿であっても、容易にリールシートを竿体に装着することができる。そして、軽量化・作業性・コスト性にも優れる。
【発明を実施するための最良の形態】
【００１４】
以下、本発明の１つの実施形態について、図面を参照しつつ説明する。
【００１５】
本発明の１つの実施形態を採用した釣竿は、複数の竿体を振出形式若しくは並継形式などの手法によって連結して構成されている。もっとも、竿体の本数は任意であり、一本の竿体からのみなる一本竿に本発明を適用することも妨げられない。
【００１６】
図１に、本発明に係る釣竿を構成する竿体のなかで最も手元側に位置する元竿１の一部を示す。この元竿１は先細りテーパの施された管状体である。例えば、炭素繊維などを引き揃えた上で合成樹脂を含浸させたプリプレグ素材を焼成して形成される。元竿１は、その竿元側の周面に配置されるリアグリップ２と、リアグリップ２の穂先側の周面に配置される芯材群３と、芯材群３の周面に配置されるリールシート４と、リールシート４の穂先側の周面に配置されるフロントグリップ５とを有する。さらに、元竿１の穂先側の周面には、リールシート４に装着したリールＲからの釣糸を案内するための釣糸ガイド（図示せず）を装着してもよい。
【００１７】
リアグリップ２及びフロントグリップ５はポリウレタン等の合成樹脂素材やコルク材等から構成される円筒型の部材である。釣人が把持するための部分である。軸長方向に貫通する貫通孔が形成され、元竿１の軸長方向の所定に位置に配置され接着剤等によって固定されている。
【００１８】
図２及び図３に詳しく示すように、芯材群３は、ポリウレタン・ABS樹脂などの硬質合成樹脂から形成される短円筒型の芯材の集合である。個々の芯材は、それぞれ軸長方向に貫通する貫通孔を有する。個々の芯材は外径及び内径が軸長方向に変化していないノンテーパの部材である。個々の芯材の軸長方向の長さは、リールシート１０の軸長方向長さに応じて設定するものであるが、リールシート４の軸長方向長さの１／１０〜１／５程度の長さである。このような芯材は３〜６個程度用意され、元竿１の所定の位置に軸長方向に間隔を隔てつつ外嵌されて接着剤等で固定されている。個々の芯材は上述のようにノンテーパの部材である。元竿１にはテーパが施されているが、芯材をある程度の弾性を有する素材から形成すれば、その弾性により元竿１のテーパはその弾性により吸収される。若しくは、上述の接着剤によってテーパは吸収される。
【００１９】
なお、個々の芯材は全て同じ外径・内径をもった円筒型部材としてもよいが、異なる内径を有する数種の芯材を用意して、これらを組み合わせて芯材群３を形成してもよい。このような数種の芯材を利用することで、元竿１のテーパはより吸収しやすくなる。
【００２０】
リールシート４は、釣用リールＲの脚部を係止して釣用リールＲを元竿１に装着するための部分である。詳しくは、リールシート４は、円筒型のリールシート本体１０と、リールシート１０の周面に周方向に回転自在に配置されるナット部１１と、ナット部１１の竿元側に周方向に回転不能に連結される移動フード部１２とを有する。
【００２１】
リールシート本体１０はその内径が上述の芯材群３にあわせて調整されているパイプ状の部材である。上述の芯材群３に外嵌され接着剤等で固定される。その穂先側の外周面には雄ねじ部分が形成されており、ここにナット部１１が装着され、ナット部１１は軸長方向に移動する。リールシート本体１０の雄ねじ部分の竿元側にはリールＲの脚部を載置する載置面が形成され、その竿元側にはリールＲの脚部の一端を覆う固定フード部分１０ａが一体的に形成されている。さらに、固定フード部分１０と周方向に１８０度変位する側にはトリガー１０ｂも形成される。移動フード部１２は固定フード部分１０ａに対向して開口しつつリールＲの脚部の端部を覆う部分である。ナット部１１に連結されており、ナット部１１の軸長方向移動に伴って軸長方向に移動する。移動フード部１２は、リールシート本体１０の周面に軸長方向に延びるように形成されるレール溝（図示せず）に嵌められており、それ自体は周方向に回転しないようになっている。
【００２２】
このリールシート４は、図１に示すように、載置面にリールＲの脚部を載置し、固定フード部分１０ａにリールＲの脚部の一端を挿入し、ナット部１１を回動させて軸長方向に移動させる。ナット部１１と共に軸長方向に移動する移動フード部１２がリールＲの他端を覆い、移動フード部１２と固定フード部分１０ａとでリールＲの脚部を挟持することになる。
【００２３】
なお、この実施形態ではリールシート４として、上述のようないわゆるナット式のものを示している。しかし、本発明はこのようなタイプのものに限定されるものではない。その他の周知のリールシートにも当然に適用可能である。
【００２４】
上述のように、この釣竿では、リールシート４のリールシート本体１０より軸長方向の短い円筒型の芯材を複数準備して芯材群３を形成し、個々の芯材を元竿１の周面に軸長方向に間隔を隔てて配置している。このような構造とするとこで、リールシート本体１０の軸長方向全体に渡って芯材を配置するのに比較して、十分に軽量化が図られる。また、個々の芯材を短い円筒型の芯材とすることで、個々の芯材に形成する元竿１の貫通用の貫通孔の軸長方向長さも短くなり、その加工が容易となり作業性・コスト性に優れる。さらに、個々の芯材の軸長方向長さを短く設定することで、芯材それ自体の内径にテーパを設けることなく、元竿１のテーパの変化を十分に吸収できることになる。
【００２５】
本発明に係るリールシートは、釣人が良好な状態でリール操作が可能であると共に、耐久性操作性にも優れる。
【図面の簡単な説明】
【００２６】
【図１】本発明の一実施形態を採用した元竿を示した図。
【図２】図１のリールシート４付近の参考図。
【図３】図１のリールシート４付近の断面図。
【図４】従来の芯材の１つを示した図。
【符号の説明】
【００２７】
１  元竿
３  芯材群
４  リールシート
１０  リールシート本体
【図１】
2005117931.tif 000003
【図２】
2005117931.tif 000004
【図３】
2005117931.tif 000005
【図４】
2005117931.tif 000006